(57)【要約】【課題】  引き出し式の食器洗浄機において、洗浄槽下部が引き出された際に、洗浄槽上部に付着した水が洗浄機本体側に滴下するのを防止する。【解決手段】  露受けトレイ４０は、洗浄槽下部２２の背面側に回動可能に接続され、洗浄槽下部２２が引き出し位置にあるときに、洗浄機本体１０の内部で洗浄槽上部２３に対向して展開される。洗浄槽上部２３から滴下する水滴は、露受けトレイ４０により受け止められる。その後、水滴は、露受けトレイ４０の板面を流れ、トレイ軸部４４を通過して、洗浄槽に回収される。【選択図】      図２
2006263376.tif 000002
【特許請求の範囲】
【請求項１】
前面が開放された洗浄機本体と、
前記洗浄機本体の内部に固定された洗浄槽上部と、引き出し可能な洗浄槽下部と、からなる洗浄槽と、
を備えた引き出し式食器洗浄機において、
前記洗浄槽下部の背面側に回動可能に接続され、前記洗浄槽下部が引き出し位置にあるときに、前記洗浄機本体の内部で前記洗浄槽上部に対向して展開される露受けトレイを備えたことを特徴とする引き出し式食器洗浄機。
【請求項２】
前記露受けトレイは、前記洗浄槽下部の背面壁として形成されていることを特徴とする請求項１に記載の引き出し式食器洗浄機。
【請求項３】
前記露受けトレイの先端は、前記洗浄機本体の背面パネルに当接しながら当該背面パネルに沿って案内されることを特徴とする請求項１に記載の引き出し式食器洗浄機。
【請求項４】
前記露受けトレイの展開を規制するストッパーを、さらに備え、
前記露受けトレイの先端が、前記洗浄機本体の背面パネルから離れると、前記露受けトレイは前記ストッパーにより展開が規制されることを特徴とする請求項３に記載の引き出し式食器洗浄機。
【発明の詳細な説明】
【技術分野】
【０００１】
本発明は、皿や茶碗等の食器類の洗浄及び濯ぎを行う食器洗浄機に係り、特に、洗浄機本体の前面が開放されており、洗浄槽が引き出し可能に構成された引き出し式食器洗浄機に関する。
【背景技術】
【０００２】
特開２００２−２０９８２８号公報（特許文献１）には、従来技術に係る引き出し式食器洗浄機が示されている。この文献の食器洗浄機では、洗浄機本体の前面が開放されており、当該前面から洗浄槽が引き出し可能となっている。ここで、洗浄機本体から引き出されるのは洗浄槽下部のみであり、洗浄槽上部は洗浄槽内に固定され、洗浄槽内に取り付けられたままである。洗浄槽内で食器を洗浄した後には、洗浄槽の上部及び下部には水が付着しており、このように洗浄槽に水が付着した状態で、洗浄槽下部が洗浄機本体から引き出されると、洗浄槽上部に付着した水は洗浄機本体側に滴下してしまう。このように洗浄機本体側に滴下した水滴により、洗浄機本体の壁面や洗浄機本体内の部品などの腐食などを引き起こす可能性がある。そこで、特許文献１に係る食器洗浄機では、洗浄槽上部の板面を傾斜させて、洗浄槽上部に付着した水を、引き出された洗浄槽下部へと導いている。
【特許文献１】特開２００２−２０９８２８号公報
【発明の開示】
【発明が解決しようとする課題】
【０００３】
上述した従来技術に係る食器洗浄機では、洗浄槽上部の板面を傾斜させて、洗浄槽上部に付着した水を洗浄槽下部へと導くものの、洗浄槽上部に多量の水が付着している場合などには、洗浄槽上部の板面から水滴が洗浄機本体側に滴下してしまう場合がある。また、食器類を好適に洗浄するために、洗浄水を噴射する洗浄ノズルを、洗浄槽の下側だけでなく、洗浄槽の上側にも設けた場合には、上側の洗浄ノズルに付着した水が、洗浄機本体側に滴下してしまう場合がある。
【０００４】
本発明は、上述した課題を鑑みてなされたものであり、引き出し式の食器洗浄機において、洗浄槽下部が引き出された際に、洗浄槽上部に付着した水が洗浄機本体側に滴下するのを防止することを目的とする。
【課題を解決するための手段】
【０００５】
本発明は、前面が開放された洗浄機本体と、洗浄機本体の内部に固定された洗浄槽上部と、引き出し可能な洗浄槽下部と、からなる洗浄槽と、を備えた引き出し式食器洗浄機において、洗浄槽下部の背面側に回動可能に接続され、洗浄槽下部が引き出し位置にあるときに、洗浄機本体の内部で洗浄槽上部に対向して展開される露受けトレイを備えたことを特徴とする。
【０００６】
この構成によれば、洗浄槽下部が引き出し位置まで引き出されたときに、露受けトレイが洗浄槽上部に対向して展開されるため、洗浄槽上部から滴下する水滴を露受けトレイで受け止めることができる。よって、洗浄槽上部から滴下する水滴が洗浄機本体内に入ることがなく、洗浄機本体の壁面や洗浄機本体内のモータやポンプなどの部品が腐食することを防止することができる。
【０００７】
上述した引き出し式食器洗浄機において、露受けトレイは、洗浄槽下部の背面壁として形成されていることが好ましい。この構成によれば、露受けトレイを洗浄槽下部の背面壁とすることで、食器洗浄機の部品点数を少なくして、食器洗浄機を簡略化された構造とすることができる。また、洗浄槽下部を引き出した状態で露受けトレイの掃除をすることができ、食器洗浄機を衛生的に使用することができる。
【０００８】
上述した引き出し式食器洗浄機において、露受けトレイの先端は、洗浄機本体の背面パネルに当接しながら当該背面パネルに沿って案内されることが好ましい。この構成によれば、露受けトレイを展開させるにあたって、露受けトレイの姿勢を変化させるために複雑な構造を要しないため、食器洗浄機を簡略化された構造とすることができる。
【０００９】
上述した引き出し式食器洗浄機は、露受けトレイの展開を規制するストッパーを、さらに備え、露受けトレイの先端が、洗浄機本体の背面パネルから離れると、露受けトレイはストッパーにより展開が規制されることが好ましい。この構成によれば、露受けトレイの展開時において、露受けトレイの先端が洗浄機本体の背面パネルに当接しないときには、露受けトレイはストッパーにより展開が規制されるため、露受けトレイが過度に倒れることを防止することができる。
【発明の効果】
【００１０】
本発明によれば、引き出し式食器洗浄機において、洗浄槽下部が引き出された際に、洗浄槽上部に付着した水が洗浄機本体側に滴下するのを防止することができる。
【発明を実施するための最良の形態】
【００１１】
［ 第一の実施形態 ］
以下、図面を参照して、本発明の第一の実施形態に係る引き出し式食器洗浄機１について説明する。図１及び図２に示すように、食器洗浄機１は、調理場に設置されたテーブル６の下で、床面に置かれた架台７の上に載置されている。図１において、食器洗浄機１の前方は、調理人が調理作業を行う作業領域であり、食器洗浄機１の後方は、食器洗浄機１の背面となっている。食器洗浄機１は、ステンレス製の洗浄機本体１０と、引き出し式の洗浄槽２０を備えている。洗浄機本体１０の前面は開放され、引き出し式の洗浄槽２０は、洗浄機本体１０の内部に配置されている。
【００１２】
洗浄槽２０の内側は、食器類を洗浄するための洗浄室２１となっている。洗浄槽２０は、その上端近くで上下に分割されており、洗浄槽下部２２と洗浄槽上部２３とに分かれている。洗浄槽下部２２は、洗浄室２１の底となる下板２２ａと、下板２２ａから洗浄室２１の周囲に立設された壁板２２ｂ，２２ｃ，２２ｄと、で形成されており、上側は開口となっている。洗浄槽下部２２の底の中央には、下側の洗浄ノズル２４Ａが回動自在に取り付けられている。下側の洗浄ノズル２４Ａの下方には、貯水部２５が形成されている。洗浄槽上部２３に洗浄水及び濯ぎ水を送出するための配管３２は、洗浄槽下部２２の背面壁２２ｄに沿って上下に延設されている。また、洗浄槽下部２２の背面壁２２ｄには、略平板上の露受けトレイ４０が回動可能に取り付けられている。露受けトレイ４０については、後に詳述する。
【００１３】
一方、洗浄槽上部２３は、洗浄槽２０の天井となる上板２７により形成されている。当該上板２７の縁部は下方に垂れ下がっている。洗浄槽上部２３の中央には、上側の洗浄ノズル２４Ｂが回動自在に取り付けられている。洗浄水及び濯ぎ水を送出するための配管３３が、背面側から洗浄ノズル２４Ｂまで延設されている。洗浄槽下部２２が収納位置にあるときには、洗浄槽上部２３に延設された配管３３は、洗浄槽下部２２に延設された配管３２と接続される。また、洗浄槽下部２２が収納位置にあるときには、洗浄槽上部２３の上板２７の縁部は、洗浄槽下部２２の壁板２２ｂ，２２ｃ，２２ｄの上端とパッキン２８を挟んで当接し、洗浄室２１が密閉される（図４参照）。
【００１４】
洗浄槽下部２２の下側が、洗浄ポンプＰ１や排水ポンプＰ２などを配置するための機械室２９となっている。洗浄ポンプＰ１は、上下の洗浄ノズル２４Ａ，２４Ｂに連通する配管３２，３３に接続されている。この洗浄ポンプＰ１が作動することにより、洗浄槽下部２２の貯水部２５に貯められた洗浄水又は濯ぎ水が、上下の洗浄ノズル２４Ａ，２４Ｂへと送出される。また、排水ポンプＰ２は、洗浄槽下部２２の貯水部２５に接続されている。この排水ポンプＰ２が作動することにより、洗浄槽下部２２の貯水部２５に貯められた洗浄水又は濯ぎ水が洗浄機１の外部に排出される。また、機械室２９には、洗浄槽下部２２を前後方向にスライド自在とするためのスライドレール（不図示）が延設されている。なお、洗浄槽下部２２は、完全に押し込まれた状態にある収納位置（図１参照）から、完全に引き出された状態にある引き出し位置（図２参照）までをスライド移動可能となる。
【００１５】
食器洗浄機１において調理人の作業領域に面した位置には、フロントパネル３０が配置されている。フロントパネル３０の上部には、食器洗浄機１の動作を制御するためのコントロールパネル３１が設けられており、当該コントロールパネル３１は運転開始ボタンや停止ボタンなどを有している。また、フロントパネル３０において、コントロールパネル３１の下には、調理人が手をかけるための取っ手が設けられている。洗浄槽下部２２はフロントパネル３０の背面に固定されている。調理人がフロントパネル３０を、取っ手に手をかけて前方に引き出すと、洗浄槽下部２２は前方の作業領域まで引き出され、洗浄槽下部２２の上側の開口が露出し、食器類が収容された食器ラックの搬入が可能となる。
【００１６】
洗浄槽下部２２が収納位置にある状態で、コントロールパネル３１に設けられた運転開始ボタンが操作されると、貯水部２５に温水が供給されてから、洗浄ポンプＰ１が始動する。これにより、貯水部２５内に貯留されていた洗浄水は上下の洗浄ノズル２４Ａ，２４Ｂに送出され、上下の洗浄ノズル２４Ａ，２４Ｂから洗浄水が食器類に向けて噴射される。このとき、洗浄水が食器類に満遍なく当てられて、食器類の汚れが洗い落とされる。このような食器類の洗浄工程が所定時間行われると、洗浄ポンプＰ１が停止し、その後、排水ポンプＰ２が始動して、貯水部２５に貯留されていた洗浄水が洗浄機の外部に排出される。
【００１７】
次に、貯水部２５に濯ぎ用の温水が供給されてから、再び洗浄ポンプＰ１が始動する。これにより、貯水部２５内に貯留されていた濯ぎ水は上下の洗浄ノズル２４Ａ，２４Ｂに送出され、上下の洗浄ノズル２４Ａ，２４Ｂから濯ぎ水が食器類に向けて噴射される。このとき、濯ぎ水が食器類に満遍なく当てられて、食器類の濯ぎが行われる。その後、洗浄ポンプＰ１が停止してから、排水ポンプＰ２が始動して、貯水部２５に貯留されていた濯ぎ水が洗浄機の外部に排出される。このような食器類の濯ぎ工程は２回行われ、食器洗浄機１の１サイクルの動作が完了する。
【００１８】
ここで、前述した食器洗浄機１において、洗浄槽２０の背面壁２２ｄには、略平板上の露受けトレイ４０が回動可能に取り付けられている。図３〜図５を参照して、露受けトレイ４０について詳しく説明する。
【００１９】
図３には、洗浄槽２０の背面壁２２ｄから取り外された状態の露受けトレイ４０が示されている。また、図４には、洗浄槽２０の背面壁２２ｄに取り付けられた状態の露受けトレイ４０が示されている。露受けトレイ４０は、略矩形形状の平面状の板面４１を有しており、その板面４１の周囲の縁部は板面４１から折り曲がって、水滴が板面４１から流れ落ちるのを防止するための流れ止め４２となっている。また、露受けトレイ４０の下側中央の一部は、板面４１の全域から水滴が集められる水滴溜め４３となっている。この水滴溜め４３から、棒状のトレイ軸部４４が横方向に突出している。これに対し、洗浄槽下部２２の背面壁２２ｄの下端には、アダプター５０が固定されている。アダプター５０には円筒穴を有する軸受部５１が形成されており、トレイ軸部４４はこの軸受部５１に挿入されて軸支される。このアダプター５０によって、露受けトレイ４０は、洗浄槽下部２２の背面壁２２ｄに回動可能に取り付けられる。
【００２０】
図５には、露受けトレイ４０のトレイ軸部４４とアダプター５０が拡大して示されている。トレイ軸部４４は円筒形状の部材であり、その内部には軸方向に沿って流路４５が形成されている。トレイ軸部４４の流路４５は、トレイ軸部４４の基端側で水滴溜め４３に連通されており、トレイ軸部４４の先端側で封止されている。トレイ軸部４４の円筒壁４４ａにおいて、トレイ軸部４４の基端と先端との間には矩形の貫通穴４７が形成されている。一方、アダプター５０には、導水穴５２が形成されている。導水穴５２は、トレイ軸部４４が挿入される軸受部５１から洗浄槽２０内まで貫通している。なお、アダプター５０は、軸受部５１の上下から延出した一対のブラケット５３を有し、各ブラケット５３にはそれぞれ２つずつ貫通穴５３ａが形成されている。これらの貫通穴５３ａにビスが通されて、ビスが洗浄槽下部２２の背面壁２２ｄに螺合されることで、アダプター５０が洗浄槽２０の背面壁２２ｄに固定される。
【００２１】
このような回動自在な露受けトレイ４０は、図１に示されるように、洗浄槽下部２２が奥側に押し込まれて収納位置に配置されている状態で、折り畳まれて、ほぼ垂直な姿勢となる。これにより、露受けトレイ４０は、洗浄槽下部２２と洗浄機本体１０の背面との間に収納される。一方、図２に示されるように、洗浄槽下部２２が前方に引き出されて引き出し位置に配置されている状態では、露受けトレイ４０はトレイ軸部４４を中心に回動してほぼ水平な姿勢となる。このように露受けトレイ４０が回動することで、露受けトレイ４０が洗浄槽上部２３の下側に展開され、洗浄槽上部２３に対向した状態となる。これにより、洗浄槽上部２３から滴下する水滴は、下方に展開された露受けトレイ４０により受け止められる。よって、洗浄槽上部２３から洗浄機本体２０側の機械室２９に水滴が侵入することを防止して、機械室２９内の底板８やポンプＰ１,Ｐ２の腐食などを防止することができる。
【００２２】
食器洗浄機１では、水流による洗浄力を高めて、短時間で食器類に付着した汚れを確実に洗い流すために、洗浄ノズル２４を洗浄室２１の下側だけでなく、洗浄室２１の上側にも配置することが好ましい。しかし、引き出し式食器洗浄機１において、洗浄ノズル２４Ｂを洗浄室２１の上側に設けた場合には、洗浄槽下部２２を引き出した際に、上側の洗浄ノズル２４Ｂに付着した水滴が滴下して、機械室２９内に入って底板８の腐食などの問題を引き起こす。上側の洗浄ノズル２４Ｂから滴下する水滴は、特許文献１にように洗浄槽上部２３に傾斜を設けても防止することはできない。これに対し、本実施形態では、露受けトレイ４０が洗浄槽上部２３に対向して展開されるので、上側の洗浄ノズル２４Ｂから滴下する水滴が受け止められて、機械室２９内に入ることを防止することができる。よって、露受けトレイ４０は、上述したように、引き出し式食器洗浄機１が上側の洗浄ノズル２４Ｂを有する構成である場合に、特に効果的である。
【００２３】
また、洗浄槽下部２２が引き出し位置まで引き出された状態においても、露受けトレイ４０の板面４１は、トレイ軸部４４から遠ざかるほど高くなるように傾斜している。よって、洗浄槽上部２３から滴下した水滴は、露受けトレイ４０により受け止められた後、露受けトレイ４０の板面４１を低い方に向かって流れて、水滴溜め４３に集められる。その後、水滴溜め４３に集められた水滴は、トレイ軸部４４の流路４５、トレイ軸部４４の円筒壁４４ａの貫通穴４７、及びアダプター５０の導水穴５２を通過して、洗浄槽２０内へ流れ込む。このようにして、露受けトレイ４０により受け止められた水滴を、洗浄槽２０内へ回収することができる。さらには、排水工程において、水滴を洗浄機の外部に排出することができる。これによれば、露受けトレイ４０により受け止められた水滴を排出するために、作業者の手間が必要なく好ましい。
【００２４】
なお、トレイ軸部４４の強度低下を回避するために、トレイ軸部４４の円筒壁４４ａに形成された貫通穴４７は、周方向の長さを小さなものとしている。このため、洗浄槽下部２２が引き出し位置まで引き出されて、露受けトレイ４０がほぼ水平な姿勢となっているときには、トレイ軸部４４の流路４５とアダプター５０の導水穴５２との間は、トレイ軸部４４の円筒壁４４ａによって遮られる。よって、水滴溜め４３に集められた水滴は直ちに洗浄槽２０内へ流れ込まずに、水滴溜め４３に蓄えられたままとなる。その後、洗浄槽下部２２が収納位置まで押し込まれたときに、トレイ軸部４４が回動して、トレイ軸部４４の流路４５とアダプター５０の導水穴５２との間は、トレイ軸部４４の円筒壁４４ａに形成された貫通穴４７により連通される。これにより、水滴溜め４３と洗浄槽２０は連通され、水滴溜め４３に集められた水滴が洗浄槽２０内へ流れ込む。このようにして、トレイ軸部４４の円筒壁４４ａに形成された貫通穴４７を小さなものとしてトレイ軸部４４の強度低下を回避しつつ、水滴溜め４３に集められた水滴を洗浄槽２０内へ回収することを可能としている。なお、トレイ軸部４４の強度低下が問題とならない場合には、トレイ軸部４４の円筒壁４４ａに形成された貫通穴４７の周方向の長さを大きくしてもよい。これによれば、洗浄槽下部２２が引き出し位置まで引き出された状態においても、トレイ軸部４４の流路４５とアダプター５０の導水穴５２との間が、トレイ軸部４４の貫通穴４７を介して連通され、水滴溜め４３に集められた水滴が洗浄槽２０内へ回収される。
【００２５】
また、上述した実施形態において、露受けトレイ４０の姿勢を調節するためには、食器洗浄機１を図６及び図７に示されるように構成すればよい。露受けトレイ４０の先端の両側の側部には、１つずつガイドピン６０が設けられている。各ガイドピン６０は、小径の円柱形状の突起である。一方、洗浄機本体１０の両側の側面パネル１１の内側には、各ガイドピン６０の移動軌跡に対応して１本ずつガイドレール６１が延設されている。各ガイドレール６１は、２条の凸部の間に凹状の溝部を形成している。各ガイドレール６１の溝部の幅は、ガイドピン６０の直径より若干大きくなっており、ガイドピン６０は、ガイドレール６１の溝部に嵌めこまれている。洗浄槽下部２２が前後方向にスライド移動するのに応じて、ガイドピン６０はガイドレール６１の軌道に沿って移動し、露受けトレイ４０は回動し姿勢を変化させる。
【００２６】
各ガイドレール６１は、洗浄機本体１０の側面パネル１１において、後方上部の位置から下方に延びてから、トレイ軸部４４と同程度の高さで前方に円弧状に曲がっている。図６に示されるように、洗浄槽下部２２が収納位置にある状態から、洗浄槽下部２２が前方に引き出されると、ガイドピン６０はガイドレール６１に沿って下降し、露受けトレイ４０はほぼ垂直な姿勢からほぼ水平な姿勢へと倒れていく。一方、図７に示されるように、洗浄槽下部２２が引き出し位置にある状態から、洗浄槽下部２２が後方に押し込まれると、ガイドピン６０はガイドレール６１に沿って上昇して、露受けトレイ４０はほぼ水平な姿勢からほぼ垂直な姿勢へと起き上がる。なお、ガイドレール６１の下端は円弧状となっているため、ガイドピン６０をガイドレール６１に沿って滑らかに移動して、露受けトレイ４０を水平な姿勢からスムーズに起き上がらせることができる。
【００２７】
［ 第二の実施形態 ］
次に、図８，図９を参照して、第二の実施形態に係る引き出し式食器洗浄機２について説明する。第二の実施形態に係る引き出し式食器洗浄機２では、露受けトレイ７０が洗浄槽２０の背面壁として構成されている点で、第一実施形態と異なる。図８に示されるように、洗浄槽下部２２が収納位置にあるときには、露受けトレイ７０がほぼ垂直な姿勢となり、露受けトレイ７０の周縁部が洗浄槽下部２２と当接して、洗浄槽２０の背面を塞ぐ。ここで、洗浄槽下部２２において、露受けトレイ７０と当接する部位にはパッキン（不図示）が設けられており、洗浄槽２０内部からの水漏れが防止されている。
【００２８】
一方、図９に示されるように、洗浄槽下部２２が引き出し位置にあるときには、露受けトレイ７０はほぼ水平な姿勢となり、露受けトレイ７０が洗浄槽上部２３の下方に展開され、洗浄槽上部２３に対向する。これにより、洗浄槽上部２３から滴下する水滴が受け止めて、洗浄槽上部２３から機械室２９に水滴が侵入することを防止して、機械室２９内の構成や底板８の腐食などを防止することができる。また、洗浄槽２０の背面に露受けトレイ７０があるため、洗浄槽下部２２を引き出し位置まで引き出した状態で露受けトレイ７０の掃除をすることができ、食器洗浄機２を衛生的に使用することができる。また、露受けトレイ７０の板面７１において、下側の縁部７１ａを単に平面として流れ止めを設けないことで、露受けトレイ７０の板面７１上を流れる水滴を洗浄槽２０内に回収することができる。これによれば、第一実施形態と異なり、トレイ軸部が複雑な構造とならないため好ましい。
【００２９】
なお、第二の実施形態においても、第一の実施形態と同様に、露受けトレイ７０の先端にガイドピン（不図示）が設けられ、また、洗浄機本体１０の側面パネル１１の内側にガイドレールが設けられている。これにより、露受けトレイ７０の姿勢が調節されている。
【００３０】
［ 第三の実施形態 ］
次に、図１０〜図２１を参照して、第三の実施形態に係る引き出し式食器洗浄機３について説明する。第三の実施形態に係る引き出し式食器洗浄機３では、露受けトレイ８０の先端が洗浄機本体１０の背面パネル１２に当接して支持される点で、第一実施形態と異なる。
【００３１】
図１０に示されるように、洗浄槽下部２２が収納位置と引き出し位置との間をスライドするとき、露受けトレイ８０はトレイ軸部８４を中心に回動して、露受けトレイ８０はトレイ軸部８４と背面パネル１２の２箇所で支えられてその姿勢が安定する。このように、洗浄槽下部２２が収納位置と引き出し位置との間をスライド移動するときに、露受けトレイ８０の先端は背面パネル１２に当接しながら当該背面パネル１２に沿って上下に案内される。このように露受けトレイ８０の先端が洗浄機本体１０の背面パネル１２に当接するように食器洗浄機３を構成することで、複雑なリンク機構などを設けることなく、簡易な構成で露受けトレイ８０の姿勢を垂直状態から水平状態に、また、水平状態から垂直状態に変化させることができる。
【００３２】
また、図１１に示されるように、露受けトレイ８０の先端には３つのリブ形状の凸部８１が設けられている。各凸部８１は、露受けトレイ８０の先端の中央及び左右の位置に、等間隔で配置されている。図１２には、凸部８１が拡大して示されている。図１２（ａ）に示されるように、凸部８１は、露受けトレイ８０の先端において断面半円形状である。また、図１２（ｂ）に示されるように、凸部８１は、露受けトレイ８０の裏面側を、露受けトレイ８０の先端からトレイ軸部８４に向けて延設されている。上述したように、露受けトレイ８０の先端が背面パネル１２に当接するときに、各凸部８１のみが背面パネル１２に当接し、接触面積が小さくなっている。よって、露受けトレイ８０の先端と背面パネル１２との間の摩擦は減らされ、露受けトレイ８０の先端を背面パネル１２に沿ってスムーズに移動させることができる。
【００３３】
露受けトレイ８０の先端に凸部８１を設けることは、図１２に示されるように、露受けトレイ８０の先端が背面パネル１２から離間した状態から、背面パネル１２に当接するときに特に効果的である。仮に、露受けトレイ８０の先端に凸部８１が設けられていない状況を想定すると、露受けトレイ８０の先端が背面パネル１２に当接するときに、露受けトレイ８０はほぼ水平な状態であるため、露受けトレイ８０の先端は背面パネル１２を大きな力で押圧し、露受けトレイ８０の先端と背面パネル１２との間には強い摩擦力が作用する。よって、露受けトレイ８０の先端は、背面パネル１２に沿い難くなってしまう。これに対して、露受けトレイ８０の先端に凸部８１を設けることにより、露受けトレイ８０の先端が背面パネル１２に当接するときに、露受けトレイ８０と背面パネル１２との間の摩擦力を弱めて、露受けトレイ８０の先端を背面パネル１２に沿ってスムーズに上昇させることができる。
【００３４】
また、洗浄槽下部２２が引き出し位置付近まで引き出されると、露受けトレイ８０の先端は背面パネル１２から離れる。このときの露受けトレイ８０の展開を規制するために、ストッパーを設ける必要がある。
【００３５】
本実施形態では、図１３及び図１４に示されるように、ストッパーＳ１は、ロープで構成されている。ロープ８２は、露受けトレイ８０の両側（紙面奥側及び紙面手前側）のそれぞれに配置されており、露受けトレイ８０と洗浄槽２０の側壁２２ｃとの間を接続している。各ロープ８２の一端は露受けトレイ８０の先端側部に接続され、他端は洗浄槽下部２２の側壁２２ｃの後方上部に接続されている。図１３に示されるように、洗浄槽下部２２が収納位置にある状態では、露受けトレイ８０のロープ接続位置から洗浄槽側壁２２ｃのロープ接続位置までは近いため、ロープ８２は弛んでいる。一方、図１４に示されるように、洗浄槽下部２２が前方に引き出されて、露受けトレイ８０がトレイ軸部８４を中心に回動すると、露受けトレイ８０のロープ接続位置から洗浄槽側壁２２ｃのロープ接続位置までは遠くなり、ロープ８２は伸張状態となる。このようにロープ８２が伸張状態となることにより、露受けトレイ８０の展開を規制して、露受けトレイ８０が過度に倒れることを防止することができる。
【００３６】
また、露受けトレイ８０の展開の規制は、上述した方法に限らず、他のストッパーを採用してもよい。例えば、図１５及び図１６に示されるように、ストッパーＳ２を、円弧状のガイドアーム８３と、ガイドピン８６とで構成してもよい。ガイドアーム８３は、露受けトレイ８０の両側に配置されており、露受けトレイ８０と洗浄槽２０の側壁２２ｃとの間を接続している。ガイドアーム８３には、一端に軸穴８３ａが形成されており、また、他端から軸穴８３ａの近傍の位置まで円弧状のガイド溝部８３ｂが形成されている。露受けトレイ８０の側部において、トレイ軸部８４とトレイ８０の先端との中間位置には、アーム回動軸８５が突出しており、当該アーム回動軸８５が、ガイドアーム８３の一端に形成された軸穴８３ａに挿入されている。これにより、ガイドアーム８３は、露受けトレイ８０に回動可能に接続されている。また、洗浄槽下部２２の側壁２２ｃの後方上部には、ガイドピン８６が突出しており、当該ガイドピン８６が、ガイドアーム８３のガイド溝部８３ｂに挿入されている。
【００３７】
図１５に示されるように、洗浄槽下部２２が収納位置にある状態では、露受けトレイ８０がほぼ垂直な姿勢となって、ガイドアーム８３は本体側部の中心付近まで延出している。一方、図１６に示されるように、洗浄槽下部２２が前方に引き出されて、露受けトレイ８０がトレイ軸部８４を中心に回動すると、ガイドアーム８３は、アーム回動軸８５を中心に回動しつつ、ガイドピン８６に対してガイド溝部８３ｂを滑らせる。そして、ガイドピン８６が、ガイド溝部８３ｂの前方の一端に到達すると、露受けトレイ８０の展開は規制される。このようにガイドアーム８３の移動をガイドピン８６で止めることにより、露受けトレイ８０の展開を規制して、露受けトレイ８０が過度に倒れることを防止することができる。
【００３８】
また、図１７及び図１８に示されるように、ストッパーＳ３を、２本の棒状の連結アーム８７，８８で構成してもよい。連結アーム８７，８８は、露受けトレイ８０の両側に配置されており、露受けトレイ８０と洗浄槽２０の側壁２２ｃとの間に連結して設けられている。露受けトレイ８０の側部において、トレイ軸部８４とトレイ８０の先端との中間位置には、アーム回動軸８９が突出しており、当該アーム回動軸８９が、第一の連結アーム８７の一端に形成された軸穴８７ａに挿入されている。これにより、第一の連結アーム８７は、露受けトレイ８０に回動可能に接続されている。また、洗浄槽下部２２の側壁２２ｃの後方上部には、アーム回動軸９０が突出しており、当該アーム回動軸９０が、第二の連結アーム８８の一端に形成された軸穴８８ａに挿入されている。これにより、第二の連結アーム８８は、洗浄槽下部２２に回動可能に接続されている。また、第二の連結アーム８８の他端には、軸線に沿って長穴８８ｂが形成されている。当該第二の連結アーム８８の長穴８８ｂには、第一の連結アーム８７の一端に設けられたアーム連結軸８７ｂが挿入されている。これにより、第一の連結アーム８７は、第二の連結アーム８８に回動可能に接続されている。
【００３９】
図１７に示されるように、洗浄槽下部２２が収納位置にある状態では、露受けトレイ８０のアーム回動軸８９から洗浄槽側壁２２ｃのアーム回動軸９０までは近いため、第一の連結アーム８７に対して第二の連結アーム８８は屈曲している。一方、図１８に示されるように、洗浄槽下部２２が前方に引き出されて、露受けトレイ８０がトレイ軸部８４を中心に回動すると、露受けトレイ８０のアーム回動軸８９から洗浄槽側壁２２ｃのアーム回動軸９０までは遠くなり、第一の連結アーム８７と第二の連結アーム８８は直線的に配置されて伸張状態となる。このように第一，第二の連結アーム８７，８８が伸張状態となることにより、露受けトレイ８０の展開を規制して、露受けトレイ８０が過度に倒れることを防止することができる。
【００４０】
また、図１９及び図２０に示されるように、ストッパーＳ４を、ダンパー９１で構成してもよい。ダンパー９１は、露受けトレイ８０の両側に配置されており、露受けトレイ８０と洗浄槽２０の側壁２２ｃとの間に設けられている。ダンパー９１は、オイルが封入されたシリンダ９１ａと、当該シリンダ９１ａ内に配置されたピストンからシリンダ９１ａの外まで延出したロッド９１ｂと、で構成されている。ピストンには、その両側のシリンダ室を連通するオリフィスが形成されている。露受けトレイ８０の側部において、トレイ軸部８４とトレイ８０の先端との中間位置には、ダンパー９１の一端が回動可能に接続されている。また、浄槽下部２２の側壁２２ｃの後方下部には、ダンパー９１の他端が回動可能に接続されている。
【００４１】
図１９に示されるように、洗浄槽下部２２が収納位置にある状態では、露受けトレイ８０のダンパー接続位置から洗浄槽側壁２２ｃのダンパー接続位置までは近いため、ダンパー９１は圧縮されている。一方、図２０に示されるように、洗浄槽下部２２が前方に引き出されて、露受けトレイ８０がトレイ軸部８４を中心に回動すると、露受けトレイ８０のダンパー接続位置から洗浄槽側壁２２ｃのダンパー接続位置までは遠くなり、ダンパー９１は伸張状態となる。このようにダンパー９１が伸張状態となることにより、露受けトレイ８０の展開を規制して、露受けトレイ８０が過度に倒れることを防止することができる。
【００４２】
また、図２１に示されるように、ストッパーＳ５を、支持部材９２で構成してもよい。支持部材９２は、洗浄槽下部２２の背面壁２２ｄにおいて、トレイ回動軸に下側に設けられている。洗浄槽下部２２が前方に引き出されて、露受けトレイ８０がトレイ軸部８４を中心に回動すると、露受けトレイ８０の裏面は支持部材９２の受け面９２ａと当接する。このように露受けトレイ８０の裏面と支持部材９２の受け面９２ａが当接することにより、露受けトレイ８０の展開を規制して、露受けトレイ８０が過度に倒れることを防止することができる。
【００４３】
なお、以上の説明では、洗浄槽下部２２が引き出し位置まで引き出されたときに、露受けトレイ８０が背面パネル１２から離れることを前提として、露受けトレイ８０の展開を規制するストッパーＳ１〜Ｓ５について説明した。しかし、洗浄槽下部２２が引き出し位置まで引き出されたときにも、露受けトレイ８０の先端が背面パネル１２から離れない場合には、背面パネル１２により露受けトレイ８０の展開は規制されるため、ストッパーを設ける必要はない。
【図面の簡単な説明】
【００４４】
【図１】本発明の第一実施形態に係る引き出し式食器洗浄機において、洗浄槽下部が収納された状態を示す断面図である。
【図２】本発明の第一実施形態に係る引き出し式食器洗浄機において、洗浄槽下部が引き出された状態を示す断面図である。
【図３】露受けトレイを示す平面図である。
【図４】露受けトレイの取付け構造を示す断面図である。
【図５】露受けトレイの取り付け構造を示す斜視図である。
【図６】洗浄槽下部が収納された状態における、露受けトレイの姿勢を調節する機構を示す断面図である。
【図７】洗浄槽下部が引き出された状態における、露受けトレイの姿勢を調節する機構を示す断面図である。
【図８】本発明の第二実施形態に係る引き出し式食器洗浄機において、洗浄槽下部が収納された状態を示す断面図である。
【図９】本発明の第二実施形態に係る引き出し式食器洗浄機において、洗浄槽下部が引き出された状態を示す断面図である。
【図１０】本発明の第三実施形態に係る引き出し式食器洗浄機において、洗浄槽下部が引き出された状態を示す断面図である。
【図１１】露受けトレイを示す平面図である。
【図１２】露受けトレイの先端部分を示す拡大図である。
【図１３】洗浄槽下部が収納された状態における、ストッパーを示す断面図である。
【図１４】洗浄槽下部が引き出された状態における、ストッパーを示す断面図である。
【図１５】洗浄槽下部が収納された状態における、ストッパーの第一変形例を示す断面図である。
【図１６】洗浄槽下部が引き出された状態における、ストッパーの第一変形例を示す断面図である。
【図１７】洗浄槽下部が収納された状態における、ストッパーの第二変形例を示す断面図である。
【図１８】洗浄槽下部が引き出された状態における、ストッパーの第二変形例を示す断面図である。
【図１９】洗浄槽下部が収納された状態における、ストッパーの第三変形例を示す断面図である。
【図２０】洗浄槽下部が引き出された状態における、ストッパーの第三変形例を示す断面図である。
【図２１】洗浄槽下部が引き出された状態における、ストッパーの第四変形例を示す断面図である。
【符号の説明】
【００４５】
１,２,３…食器洗浄機、６…テーブル、７…架台、１０…洗浄機本体、１２…背面パネル、２０…洗浄槽、２２…洗浄槽下部、２２ｄ…背面壁、２３…洗浄槽上部、２４Ａ，２４Ｂ…洗浄ノズル、２５…貯水部、２９…機械室、３０…フロントパネル、３２,３３…配管、４０，７０，８０…露受けトレイ、４４，８４…トレイ軸部、５０…アダプター、６０…ガイドピン、６１…ガイドレール、８２…ロープ、８３…ガイドアーム、８６…ガイドピン、８７,８８…連結アーム、９１…ダンパー、９２…支持部材、Ｓ１〜Ｓ５…ストッパー。
【図１】
2006263376.tif 000003
【図２】
2006263376.tif 000004
【図３】
2006263376.tif 000005
【図４】
2006263376.tif 000006
【図５】
2006263376.tif 000007
【図６】
2006263376.tif 000008
【図７】
2006263376.tif 000009
【図８】
2006263376.tif 000010
【図９】
2006263376.tif 000011
【図１０】
2006263376.tif 000012
【図１１】
2006263376.tif 000013
【図１２】
2006263376.tif 000014
【図１３】
2006263376.tif 000015
【図１４】
2006263376.tif 000016
【図１５】
2006263376.tif 000017
【図１６】
2006263376.tif 000018
【図１７】
2006263376.tif 000019
【図１８】
2006263376.tif 000020
【図１９】
2006263376.tif 000021
【図２０】
2006263376.tif 000022
【図２１】
2006263376.tif 000023